(57)【要約】【課題】    テレビ電話通信中に送信される画像の画像処理を行う際に、その画像処理がされた処理画像の確認の利便性を高めることができるテレビ電話通信方法を提供する。【解決手段】  テレビ電話中に端末装置の利用者が、アイテム表示の操作を行うと、テレビ電話通信の送信画像を選択処理用画像３４とする。次に、利用者がアイテム選択の操作を行うと、カメラ１８で撮影された画像に選択されたアイテムを付加した画像処理が行われ、その処理画像が、通常カメラ１８で撮影された画像が表示される送信画像表示領域３９より大きな領域である受信画像表示領域３８に表示される。一方、受信画像は、送信画像表示領域３９に表示される。したがって、利用者は処理画像をテレビ電話通信の相手方に送信する前に、大きな画面で確認することができる。【選択図】  図７
2006270468.tif 000002
【特許請求の範囲】
【請求項１】
テレビ電話通信中の端末装置におけるテレビ電話通信方法であって、
テレビ電話通信中に送信される画像である送信画像の画像処理の種類を選択する処理である選択処理の際に、画像データの出力に関する処理を変更する画像データ出力処理変更工程と；
前記選択処理の最後に、選択された前記画像処理を行うことを決定する画像処理決定工程と；
前記画像処理決定工程において決定された前記画像処理により処理された画像を、前記送信画像とする処理画像送信工程と、を備えるテレビ電話通信方法。
【請求項２】
前記画像データ出力処理変更工程は、選択処理の際に前記画像処理された処理画像を、前記送信画像が前記端末装置の表示画面に表示される場合の前記表示画面の領域である送信画像表示領域より大きく表示することにより変更する処理画像拡大表示工程を含む、ことを特徴とする請求項１に記載のテレビ電話通信方法。
【請求項３】
前記処理画像拡大表示工程では、前記端末装置の表示画面において、前記処理画像をテレビ電話通信の受信画像を表示する領域に表示し、前記受信画像を前記送信画像表示領域に表示する、ことを特徴とする請求項２に記載のテレビ電話通信方法。
【請求項４】
前記画像データ出力処理変更工程は、前記選択処理中の前記送信画像を変更する選択処理中画像変更工程を含む、ことを特徴とする請求項１〜３のいずれか一項に記載のテレビ電話通信方法。
【請求項５】
変更された前記選択処理中の前記送信画像は、前記選択処理中である旨を表す画像である、ことを特徴とする請求項４に記載のテレビ電話通信方法。
【請求項６】
前記画像処理は、処理される原画像から抽出された着目像に基づいて、前記端末装置に保存されている要素画像と前記原画像とを合成する画像処理であり、
前記画像処理の種類の選択は、少なくとも前記要素画像の選択である、ことを特徴とする請求項１〜５のいずれか一項に記載のテレビ電話通信方法。
【請求項７】
前記原画像は、前記端末装置のカメラで撮影された動画像である、ことを特徴とする請求項６に記載のテレビ電話通信方法。
【請求項８】
テレビ電話通信が可能な端末装置であって、
画像処理を行う画像処理手段と；
テレビ電話通信中に送信される画像である送信画像についての前記画像処理の種類を選択させる処理である選択処理を制御する選択処理制御手段と；
前記選択処理の際に、画像の出力に関する処理を変更する画像出力処理変更手段と；
前記選択処理において前記画像処理の種類が決定された場合に、前記画像処理がされた画像を前記送信画像とする処理画像送信手段と、を備える端末装置。
【請求項９】
前記画像出力処理変更手段は、前記選択処理の際に前記画像処理された処理画像を、前記送信画像が前記端末装置の表示画面に表示される場合の前記表示画面の領域である送信画像表示領域より大きく表示する処理を行う、ことを特徴とする請求項８に記載の端末装置。
【請求項１０】
前記画像出力処理変更手段は、前記選択処理中の前記送信画像を変更する処理を行う、ことを特徴とする請求項８又は９に記載の端末装置。
【請求項１１】
移動通信網と無線通信を行う無線通信手段を更に備え、
前記テレビ電話通信は前記無線通信により行われる、ことを特徴とする請求項８〜１０のいずれか一項に記載の端末装置。
【発明の詳細な説明】
【技術分野】
【０００１】
本発明は、テレビ電話通信方法及び端末装置に係り、より詳しくはテレビ電話通信の送信画像に画像処理を設定する際のテレビ電話通信方法、及び、その方法を使用した端末装置に関する。
【背景技術】
【０００２】
近年、通信技術の進歩により、通話の機能だけでなく、メールの送受信等の様々な機能を有する端末装置が実用化されている。このような機能のうちテレビ電話機能についても、ＩＴＵ−Ｔ勧告のＨ．３２０や３ＧＰＰ(3rd Generation Partnership Project)の３Ｇ−３２４端末として標準化されており、国内外で実用化され市販されている。
【０００３】
こうしたテレビ電話機能を日常的に使用する場合には、一般に、送話者側端末のカメラで撮影される画像がそのまま受話者側端末に表示されてしまうため、通話中には送話者自身だけでなく、背景も送信されることになる。このため、送話者の居場所が受話者に判明する可能性があり、場合によっては送話者のプライバシーが侵害されてしまう。また、送話者自身が、カメラにより撮影された画像をそのまま送信したくない場合もある。こうした場合に考慮して、静止画像を送信したり、送話者側で撮影された自身の画像のうち、背景画像を合成したものを送信したりすることが提案されている（特許文献１参照）。
【特許文献１】特許公開２００３−３０９８２９号公報
【発明の開示】
【発明が解決しようとする課題】
【０００４】
上述した従来の技術は、個人のプライバシーを守ると共にテレビ電話機能の利用できる環境を広げる上で非常に優れたものである。しかしながら、こうした画像処理を利用したい状況は、テレビ電話の通話中にも、送話者側の環境や都合が変化したりすることにより起こるものである。例えば、通話中に、送話者が別の場所に移動したり、個人的な作業を開始したりする場合である。
【０００５】
また、こうしたプライバシーに係わる状況の変化だけでなく、テレビ電話の通話中に、画像処理された画像を互いに送信し合うことにより、会話と共に画像の変化を楽しみたい場合も多い。
【０００６】
これらの場合のように、通話中に、送信される画像に画像処理を行う場合には、送信される画像がどのように画像処理されているか分からないまま送信するのは、送話者側及び受話者側の両方にとって好ましくない。
【０００７】
本発明は、上記の事情を鑑みてなされたものであり、テレビ電話通信中に送信される画像の画像処理を行う際に、その画像処理がされた処理画像の確認の利便性を高めることができるテレビ電話通信方法及びその方法を使用した端末装置を提供することを目的とする。
【課題を解決するための手段】
【０００８】
本発明のテレビ電話通信方法は、テレビ電話通信中の端末装置におけるテレビ電話通信方法であって、テレビ電話通信中に送信される画像である送信画像の画像処理の種類を選択する処理である選択処理の際に、画像データの出力に関する処理を変更する画像データ出力処理変更工程と；前記選択処理の最後に、選択された前記画像処理を行うことを決定する画像処理決定工程と；前記画像処理決定工程において決定された前記画像処理により処理された画像を、前記送信画像とする処理画像送信工程と、を備えることを特徴とするテレビ電話通信方法である。
【０００９】
このテレビ電話通信方法では、まず、画像データ出力処理変更工程において、送信画像の画像処理の種類を選択する処理である選択処理の際に、画像データの出力に関する処理を変更する。ここで、「送信画像」は、テレビ電話通信中に送信される画像のことをいう。また、「画像データの出力に関する処理」とは、画像データを表示装置へ出力させる処理や、画像データを通信網へ送信する処理が含まれる。
【００１０】
次に、画像処理決定工程において、画像処理を行うことを決定する。この決定により、選択処理は終了する。引き続き、処理画像送信工程において、決定された画像処理により処理された処理画像を送信画像とする。したがって、このテレビ電話通信方法によれば、テレビ電話通信中に送信される画像の画像処理を行う際に、その画像処理がされた処理画像の確認の利便性を高めることができる。
【００１１】
また、本発明のテレビ電話通信方法は、前記画像データ出力処理変更工程は、選択処理の際に前記画像処理された処理画像を、前記送信画像が前記端末装置の表示画面に表示される場合の前記表示画面の領域である送信画像表示領域より大きく表示することにより変更する処理画像拡大表示工程を含む、とすることができる。
【００１２】
この場合には、画像データ出力処理変更工程に、処理画像拡大表示工程を含めることができる。ここで、処理画像拡大表示工程は、画像処理された処理画像を送信画像表示領域より大きく表示する工程であり、送信画像表示領域とは、送信画像が端末装置の表示画面に表示される場合の表示画面の領域である。したがって、このテレビ電話通信方法によれば、テレビ電話通信中に送信される画像の画像処理を行う際に、その画像処理がされた処理画像を大きな画面で確認することができる。
【００１３】
ここで、前記処理画像拡大表示工程では、前記端末装置の表示画面において、前記処理画像をテレビ電話通信の受信画像を表示する領域に表示し、前記受信画像を前記送信画像表示領域に表示する、とすることができる。この場合には、画像処理された画像が相手方にどのように表示されるかを確認しつつ、更に、相手方から送信される画像も確認することができる。
【００１４】
また、本発明のテレビ電話通信方法は、前記画像データ出力処理変更工程は、前記選択処理中の前記送信画像を変更する選択処理中画像変更工程を含む、とすることができる。したがって、画像処理の選択を行っている間、自身が撮影されている画像や選択中の画像処理が行われた画像が送信されて、テレビ電話通信中の相手方に伝わってしまうことを防ぐことができる。
【００１５】
また、本発明のテレビ電話通信方法では、変更された前記選択処理中の前記送信画像は、前記選択処理中である旨を表す画像である、とすることができる。この場合には、特別の操作をすることなく、テレビ電話中の相手方に、画像処理の選択を行っているところであることを伝えることができる。
【００１６】
また、本発明のテレビ電話通信方法では、前記画像処理は、処理される原画像から抽出された着目像に基づいて、前記端末装置に保存されている要素画像と前記原画像とを合成する画像処理であり、前記画像処理の種類の選択は、少なくとも前記要素画像の選択である、とすることができる。この場合には、好みに応じた要素を選択して画像処理をすることにより、相手方と共に処理画像を楽しむことができる。
【００１７】
ここで、前記原画像は、前記端末装置のカメラで撮影された動画像である、とすることができる。この場合には、カメラで撮影された端末装置の利用者等の画像に画像処理を施すことができ、より処理画像を楽しむことができる。
【００１８】
本発明の端末装置は、テレビ電話通信が可能な端末装置であって、画像処理を行う画像処理手段と；テレビ電話通信中に送信される画像である送信画像についての前記画像処理の種類を選択させる処理である選択処理を制御する選択処理制御手段と；前記選択処理の際に、画像の出力に関する処理を変更する画像出力処理変更手段と；前記選択処理において前記画像処理の種類が決定された場合に、前記画像処理がされた画像を前記送信画像とする処理画像送信手段と、を備えることを特徴とする端末装置である。
【００１９】
この端末装置では、画像処理手段は画像処理を行い、選択処理制御手段は、画像処理の種類を選択させる処理である選択処理を制御する。ここで、「送信画像」の意味は、前述のテレビ電話通信方法での意味と同じである。また、画像出力処理変更手段は、選択処理の際に、画像の出力に関する処理を変更する。ここで、「画像の出力に関する処理」の意味は、前述のテレビ電話通信方法での意味と同じである。更に、処理画像送信手段は、選択処理において画像処理の種類が決定された場合に、処理画像を送信画像とする。
【００２０】
したがって、この端末装置によれば、テレビ電話通信中に送信される画像の画像処理を行う際に、その画像処理がされた処理画像の確認の利便性を高めることができる。
【００２１】
また、本発明の端末装置では、前記画像出力処理変更手段は、前記選択処理の際に前記画像処理された処理画像を、前記送信画像が前記端末装置の表示画面に表示される場合の前記表示画面の領域である送信画像表示領域より大きく表示する処理を行う、とすることができる。したがって、テレビ電話通信中に送信される画像の画像処理を行う際に、その画像処理がされた処理画像を大きな画面で確認することができる。
【００２２】
また、本発明の端末装置では、前記画像出力処理変更手段は、前記選択処理中の前記送信画像を変更する処理を行う、とすることができる。したがって、画像処理の選択を行っている間、自身が撮影されている画像や選択中の画像処理が行われた画像が送信されて、テレビ電話通信中の相手方に伝わってしまうことを防ぐことができる。
【００２３】
また、本発明の端末装置では、移動通信網と無線通信を行う無線通信手段を更に備え、前記テレビ電話通信は前記無線通信により行われる、とすることができる。この場合には、端末装置を移動通信端末装置とした場合にも利用することができる。
【発明の効果】
【００２４】
以上説明したように、本発明のテレビ電話通信方法及び端末装置によれば、テレビ電話通信中に送信される画像の画像処理を行う際に、その画像処理がされた処理画像の確認の利便性を高めることができるという効果を奏する。
【発明を実施するための最良の形態】
【００２５】
以下、本発明の一実施形態を、図１〜図８を参照しつつ説明する。なお、これらの図においては、同一又は同等の要素には同一の符号を付し、重複する説明を省略する。
【００２６】
図１には、本発明の移動通信端末装置を含む一実施形態である移動通信システム１００の構成が模式的に示されている。図１に示されるように、この移動通信システム１００は、（ａ）移動通信端末装置である携帯電話１０と、（ｂ）携帯電話１０とテレビ電話通信を行う携帯電話５０と、（ｃ）携帯電話１０が、携帯電話５０とのテレビ電話通信の際、直接無線通信を行う基地局４１と、（ｄ）携帯電話５０が、携帯電話１０とのテレビ電話通信の際、直接無線通信を行う基地局４２と、（ｅ）基地局４１及び４２を電気通信網によりつなぐ移動通信網４０とを備えている。
【００２７】
図２には、携帯電話１０の外観構成が概略的に示されている。図２に示されるように、携帯電話１０は、（ｉ）電話番号を入力するためのテンキー、及び、動作モードの切替等の各種指令を入力するためのファンクションキーを有する操作部１２と、（ii）携帯電話１０の操作案内、動作状況、テレビ電話の受信画像及び送信画像等を表示する液晶表示装置を有する表示装置１３と、（iii）通話時に通信相手から送られてきた音声信号を再生する通話用スピーカ１４と、（iv）集音時に音を入力したり、通話時に音声を入力したりするためのマイクロフォン１５と、（ｖ）着信音や案内音を発生するための案内用スピーカ１６と、（vi）基地局と無線通信を行うためのアンテナ１７と、（vii）テレビ電話通話の際、携帯電話５０に送信するための画像を撮影するカメラ１８とを備えている。
【００２８】
図３には、携帯電話１０の内部の情報処理システムである内部システム１１が概略的に示されている。内部システム１１は、携帯電話１０のシステム全体を統括制御する制御部２１と、アンテナ１７を介して基地局４１と無線通信をおこなう送受信部２２とを備えている。
【００２９】
ここで、制御部２１は、（ａ）カメラ１８で撮影された画像を取得し、その画像に、利用者が選択したアイテムを重ね合わせるマスク画像処理を行う場合にはそのマスク画像処理を行って、画像処理を行わない場合には撮影された画像のまま、その画像を制御部２１内の別機能を担う部に送る画像処理制御部３１と、（ｂ）マスク画像処理のためのアイテムを、利用者が選択する機能を制御する選択処理制御部３２と、（ｃ）テレビ電話通信により送受信される画像情報を制御するテレビ電話通信制御部３３と、（ｄ）テレビ電話通信の際に、表示装置１３に表示される画面を制御するテレビ電話表示制御部３５とを有している。ここで、テレビ電話通信制御部３３は、テレビ電話通信中に、マスク画像処理のアイテム選択を行う際に、相手方である携帯電話５０に送信する画像データである選択処理用画像３４を備えている。
【００３０】
また、制御部２１は、不図示の中央処理装置（ＣＰＵ）、デジタル信号処理装置（ＤＳＰ）及び記憶装置（ＲＡＭ等）等のハードウェアにより実行／処理される。なお、携帯電話５０についても、携帯電話１０と同様の構成で、同様の機能を備えているものとする。ここで、携帯電話５０において、携帯電話１０の表示装置１３に対応する部分は、表示装置５１とする。
【００３１】
次に、上記のように構成された携帯電話１０における携帯電話５０とのテレビ電話通信方法について説明する。
【００３２】
図４及び図５には、携帯電話１０と携帯電話５０とがテレビ電話通信をしている際の、携帯電話１０の表示装置１３に表示される画面１０Ａ〜１０Ｅと、携帯電話５０の表示装置５１に表示される画面５０Ａ〜５０Ｅが示さている。紙面左側の列には表示装置１３に表示される画面が、紙面右側の列には表示装置５１に表示される画面がそれぞれ示され、時間の経過と共に、符号ＡからＥにそれぞれの画面が遷移する様子が示されている。
【００３３】
図４の画面１０Ａ及び画面５０Ａには、通常のテレビ電話通信における表示装置１３及び表示装置５０に表示される画面が示されている。画面１０Ａは、携帯電話１０から携帯電話５０に送信している画像を表示装置１３に表示する場合に、その送信画像が表示される領域である送信画像表示領域３９と、送信画像表示領域３９より大きな領域で、原則として携帯電話１０が受信した画像を表示する領域である受信画像表示領域３８とを有している。これらの表示領域は、図５の画面１０Ｄ及び１０Ｅにおいても用いられる。また、画面５０Ａ〜５０Ｅは、画面１０Ａと同様に、送信画像表示領域５３と受信画像表示領域５２とを有している。
【００３４】
図６には、画面１０Ａ及び画面５０Ａに示されような、通常のテレビ電話通信で行われる画像データについてのシーケンス図が示されている。この図６に示されるように、受信処理においては、携帯電話５０のカメラで撮影された画像は、携帯電話１０の受信画像として、送受信部２２及びテレビ電話通信制御部３３を介して、テレビ電話表示制御部３５に送られる。テレビ電話表示制御部３５は、この受信画像を受信画像表示領域３８に表示する。
【００３５】
一方、送信処理においては、カメラ１８で撮影された撮影画像は、画像処理制御部３１を介して、テレビ電話表示制御部３５及びテレビ電話通信制御部３３に送られる。撮影画像を受け取ったテレビ電話表示制御部３５は、その撮影画像を送信画像表示領域３９に表示する。また、撮影画像を受け取ったテレビ電話通信制御部３３は、その撮影画像を送受信部２２を介して、携帯電話５０に送信する。
【００３６】
図４に戻り、画面１０Ａにおいて、利用者が「Ｍｅｎｕ」を選択する操作を行うと、画面１０Ｂに遷移する。画面１０Ｂでは、送信画像表示領域３９及び受信画像表示領域３８はなく、テレビ電話通信におけるオプションメニューの画面が表示される。このオプションメニューの内容には、画像処理により使用するアイテムを選択する「１．アイテム表示」が含まれている。ここで用いられる画像処理は、カメラ１８で撮影された人の顔の画像から抽出された着目像に基づいて、着目像の特徴点位置（例えば、鼻の突端位置）及び大きさを抽出し、その大きさに対応する大きさで、利用者が選択したアイテムを重ね合わせて合成した画像を作成する処理である。ここで「アイテム」には、要素画像（例えば、サングラス画像）と、要素画像が表示されるべき特徴点位置との位置関係が含まれている。
【００３７】
一方、この時点で、携帯電話１０のカメラ１８で撮影されている画像は携帯電話５０に送信されており、携帯電話５０の画面である画面５０Ｂは、画面５０Ａの画面と同様の表示である。
【００３８】
次に、画面１０Ｂにおいて、利用者が「１．アイテム表示」を選択する操作を行うと、図７に示されるように、操作部１２を介して、選択処理制御部３２にアイテム表示の旨が通知される。アイテム表示の旨が通知された選択処理制御部３２は、更にテレビ電話通信制御部３３及びテレビ電話表示制御部３５にその旨を通知する。
【００３９】
この通知を受けたテレビ電話通信制御部３３は、選択処理用画像３４を、送受信部２２を介して、携帯電話５０に送信する。これにより、図４の画面５０Ｃで示されるように、携帯電話５０の受信画像表示領域５２には、選択処理用画像３４である「ただいま変装中・・・」の文字が表された画像が表示される。一方、アイテム表示の旨の通知を受けたテレビ電話表示制御部３５は、表示装置１３に、画像処理にアイテムとして用いられる「サングラス」や「帽子」等が表された、アイテム選択画面である画面１０Ｃを表示する。
【００４０】
次に、画面１０Ｃにおいて、利用者が「サングラス」のアイテムを選択する操作を行うと、図７に示されるように、「サングラス」のアイテムが選択された旨が、選択処理制御部３２を介して、テレビ電話表示制御部３５及び画像処理制御部３１に通知される。「サングラス」のアイテムが選択された旨が通知されたテレビ電話表示制御部３５は、携帯電話５０から、送受信部２２及びテレビ電話通信制御部３３を介して受け取った受信画像を、受信画像表示領域３８でなく、送信画像表示領域３９に表示する。
【００４１】
一方、「サングラス」のアイテムが選択された旨を通知された画像処理制御部３１は、カメラ１８から取得した撮影画像に含まれる人の顔を認識し、目の部分に選択された「サングラス」の画像を重ね合わせる画像処理を行う。画像処理により作成された処理画像は、テレビ電話表示制御部３５を介し、受信画像表示領域３８に表示される。このときの画面の様子が図５の画面１０Ｄに示されている。したがって、ここで利用者は、テレビ電話通信中の自分の画像を確認できる送信画像表示領域３９より、大きな領域である受信画像表示領域３８により、処理された画像を確認することができる。
【００４２】
次に、画面１０Ｄにおいて、利用者が、送信する撮影画像に用いる画像処理として、画面１０Ｄの受信画像表示領域３８に表示された処理画像で使用したアイテムを用いることを決定する操作を行った場合の処理のシーケンスが、図８に示されている。図８において、利用者が操作部１２を操作して、アイテムの決定を行うと、アイテムの決定の旨が選択処理制御部３２に通知される。アイテム決定の旨が通知された選択処理制御部３２は、その旨をテレビ電話表示制御部３５、テレビ電話通信制御部３３及び画像処理制御部３１に通知する。
【００４３】
アイテム決定の旨が通知されたテレビ電話表示制御部３５は、携帯電話５０から、送受信部２２及びテレビ電話通信制御部３３を介して受け取った受信画像を、受信画像表示領域３８に表示する。また、アイテム決定の旨が通知されたテレビ電話通信制御部３３は、選択処理用画像３４の携帯電話５０への送信を停止する。更に、アイテム決定の旨が通知された画像処理制御部３１は、画像処理された処理画像をテレビ電話表示制御部３５及びテレビ電話通信制御部３３に送る。
【００４４】
処理画像を受け取ったテレビ電話表示制御部３５は、図５の画面１０Ｅに示されるように、画像処理制御部３１から受け取った処理画像を送信画像表示領域３９に表示する。また、処理画像を受け取ったテレビ電話通信制御部３３は、送受信部２２を介して、携帯電話５０に送信し、これを受信した携帯電話５０の表示装置５１には、図５の画面５０Ｅに示されるような画面が表示される。
【００４５】
以上説明したように、本実施形態では、テレビ電話中に携帯電話１０の利用者が、アイテム表示の操作を行うと、テレビ電話通信の送信画像を選択処理用画像３４とする。次に、利用者がアイテム選択の操作を行うと、カメラ１８で撮影された画像に選択されたアイテムを付加した画像処理が行われ、その処理画像が、通常カメラ１８で撮影された画像が表示される送信画像表示領域３９より大きな領域である受信画像表示領域３８に表示される。一方、受信画像は、送信画像表示領域３９に表示される。
【００４６】
引き続き、利用者が、送信する撮影画像に用いる画像処理として、画面１０Ｄの受信画像表示領域３８に表示された処理画像で使用したアイテムを用いることを決定する操作を行うと、処理画像は送信画像表示領域３９に表示されると共に、携帯電話５０に送信される。また、受信画像は受信画像表示領域３８に表示される。
【００４７】
したがって、本実施形態によれば、テレビ電話通信中に送信される画像の画像処理を行う際に、その画像処理がされた処理画像を大きな画面で確認することができる。
【００４８】
また、本実施形態では、利用者が画像処理を選択であるアイテム選択をする際に、選択処理用画像３４を携帯電話５０に送信しているため、自身が撮影されている画像や選択中の画像処理が行われた画像が送信されるのを防ぐことができる。
【００４９】
また、本実施形態では、利用者が画像処理を選択であるアイテム選択をする際に、テレビ電話通信の相手方に「ただいま変装中・・・」の文字が表された選択処理用画像３４を送信しているため、特別の操作をすることなく、携帯電話５０でテレビ電話通信中の相手方に、画像処理の選択を行っているところであることを伝えることができる。
【００５０】
また、本実施形態では、利用者が画像処理を選択であるアイテム選択をする際に、送信画像表示領域３９に受信画像を表示し、受信画像表示領域３８に処理画像を表示しているため、画像処理された画像が相手方にどのように表示されるかを確認しつつ、更に、相手方から送信される画像も確認することができる。
【００５１】
また、本実施形態では、携帯電話１０のカメラ１８で撮影された画像において、顔を認識する処理を行い、更に、利用者が選択したアイテムを顔の所定位置に配置する画像処理を行っていることから、テレビ電話通信の相手方と共に処理画像を楽しむことができる。
【００５２】
なお、本実施形態においては、利用者が選択したアイテムを重ね合わせるマスク画像処理としたが、その他の画像処理であっても適用できるのは勿論である。
【００５３】
また、本実施形態においては、カメラで撮影中の利用者の画像としたが、既に録画されたビデオについて画像処理を行ってもよいし、アニメーション画像等について行ってもよい。
【００５４】
また、本実施形態においては、画像処理は動画像について行われるものを前提としたが、静止画像であってもよいのは勿論である。
【００５５】
また、本実施形態においては、選択処理用画像３４は、予め定められた画像としたが、選択処理開始時に利用者が選んだ画像としてもよいし、静止画像でも動画像でもよい。
【００５６】
また、本実施形態においては、選択処理用画像３４を送信するのは、アイテム表示を行う画面１０Ｃの時からとしたが、メニュー画面である画面１０Ｂの時からでもよいし、画像処理を行う画面１０Ｄの時からでもよい。
【００５７】
また、本実施形態においては、選択処理用画像３４は、「ただいま変装中・・・」の文字が表された、画像処理の選択中であることを意味する画像であることとしたが、画像処理の選択中であることを意味しない通常の画像であってもよい。
【００５８】
また、本実施形態においては、選択処理用画像３４を使用することとしたが、選択処理用画像３４を使用しないこととしてもよい。
【００５９】
また、本実施形態においては、送信画像表示領域より大きく表示することを、受信画像表示領域に表示することにより行ったが、画面全体に表示することによって行ってもよいし、その他の方法により送信画像表示領域より大きく表示することを実現してもよい。
【００６０】
また、本実施形態においては、移動通信端末装置として携帯電話を用いたが、その他の移動通信端末装置であってもよい。
【産業上の利用可能性】
【００６１】
以上説明したように本発明のテレビ電話通信方法及び端末装置は、テレビ電話通信を行うことのできる端末装置に適用することができる。
【図面の簡単な説明】
【００６２】
【図１】本発明の一実施形態である移動通信システム１００を概略的に示す図である。
【図２】図１の携帯電話１０の外観構成を概略的に示す図である。
【図３】図１の携帯電話１０の内部システム１１を概略的に示す図である。
【図４】図１の携帯電話１０が携帯電話５０とテレビ電話中に、アイテム選択をする際の携帯電話１０と携帯電話５０の画面遷移を示す図である。
【図５】図１の携帯電話１０が携帯電話５０とテレビ電話中に、アイテム決定をする際の携帯電話１０と携帯電話５０の画面遷移を示す図である。
【図６】図１の携帯電話１０における通常のテレビ電話通信の処理を説明するための図である。
【図７】図１の携帯電話１０におけるアイテム選択中のテレビ電話通信の処理を説明するための図である。
【図８】図１の携帯電話１０におけるアイテム決定後のテレビ電話通信の処理を説明するための図である。
【符号の説明】
【００６３】
１０，５０…携帯電話（移動通信端末装置）、１０Ａ〜１０Ｅ，５０Ａ〜５０Ｅ…画面、１１…内部システム、１２…操作部、１３，５１…表示装置、１４…通話用スピーカ、１５…マイクロフォン、１６…案内用スピーカ、１７…アンテナ、１８…カメラ、２１…制御部、２２…送受信部、３１…画像処理制御部（画像処理手段、処理画像送信手段の一部）、３２…選択処理制御部（選択処理制御手段）、３３…テレビ電話通信制御部（処理画像送信手段の一部、画像出力処理変更手段の一部）、３４…選択処理用画像、３５…テレビ電話表示制御部（画像出力処理変更手段の一部）、３８，５２…受信画像表示領域、３９，５３…送信画像表示領域、４０…移動通信網、４１，４２…基地局、１００…移動通信システム。
【図１】
2006270468.tif 000003
【図２】
2006270468.tif 000004
【図３】
2006270468.tif 000005
【図４】
2006270468.tif 000006
【図５】
2006270468.tif 000007
【図６】
2006270468.tif 000008
【図７】
2006270468.tif 000009
【図８】
2006270468.tif 000010